(57)【要約】      （修正有）【課題】汚れの付着した箸先を直接的に包み込むため、箸袋本体に汚れが付着し易いといった問題があり、衛生的見地からしても好ましいものではなかった。【解決手段】箸の全体を被装する箸袋本体と、該箸袋本体に着脱自在に内設される箸先カバー２とを備える。箸袋本体１は、例えば、布、合成樹脂材等の耐水性素材から成形されており、箸３を許容する大きさに形成された袋部１ａと、該袋部１ａの開口部１ｂの全部を閉塞する余剰部１ｃと、該余剰部１ｃと協同して前記開口部１ｂを閉塞状態に保持するリング状の止着部１ｄとを備える。箸先カバー２は、耐水性素材（例えば、ナイロン、ポリエステル等の合成樹脂材、布、不織布、木材、コーティング紙、シリコン、ゴム、カーボン、アルミ等の軽金属）にて成形され、頂端２ａと長手方向の右側端２ｂとが連通すべく開口され、箸先３ａのみならずその大半部分を包み込める大きさに形成せしめる。【選択図】図３
0003139713.tif 000002
【実用新案登録請求の範囲】
【請求項１】
箸の全体を被装する箸袋本体及び／又は該箸袋本体に着脱自在に内設されて少なくとも箸先部分のみを被装する箸先カバーを備えたことを特徴とする箸袋。
【請求項２】
箸の全体を被装する箸袋本体と、該箸袋本体に着脱自在に内設されて少なくとも箸先部分のみを被装する箸先カバーとを組み合わせてなることを特徴とする箸袋。
【請求項３】
箸の全体を被装する箸袋本体を備えてなる箸袋において、前記箸袋本体に着脱自在に内設されて少なくとも箸先部分のみを被装する箸先カバーを設けたことを特徴とする箸袋。
【請求項４】
前記箸袋本体は、少なくとも箸を許容する大きさに形成された袋部と、該袋部の開口部の全部若しくは一部を閉塞する余剰部と、該余剰部と協同して前記開口部を閉塞状態に保持する止着部とを備えてなることを特徴とする請求項１、２又は３に記載の箸袋。
【請求項５】
前記箸袋本体及び／又は箸先カバーは、耐水性素材にて成形されていることを特徴とする請求項１、２又は３に記載の箸袋。
【考案の詳細な説明】
【技術分野】
【０００１】
本考案は、主として自分専用の箸(以下、単にマイ箸という)を入れておくために使用される箸袋の改良に関し、更に詳しくは、箸袋本体に汚れが付着しにくく、また、汚れ易い箸先部分(箸先カバー)を箸袋本体から遊離させて簡単に洗うことができる衛生的な箸袋に関する。
【背景技術】
【０００２】
従来、斯かる箸袋としては、例えば、略二等辺三角形状の布地と、前記布地の裏面底辺側に設けられた箸留部材と、前記布地の頂部近傍に設けられた結束部材とを備え、前記箸留部材に箸を差し込み、前記布地の底辺側の二隅を内側に折り曲げ、次いで、前記布地の底辺側から頂部側に向かって箸を巻き込み、然る後、前記結束部材によって止着されている（例えば、特許文献１参照）。
【特許文献１】実用新案登録第３０６０３１５号公報
【考案の開示】
【考案が解決しようとする課題】
【０００３】
しかしながら、上述した従来の箸袋にあっては、カラカラと音を立てることなく、また、箸についた汁や汚れが（布地に染み込むため）飛び散らせることなく、マイ箸を鞄等に入れて携帯することができるといった利点を有するものの、汚れの付着した箸先を直接的に包み込むため、箸袋本体に汚れが付着し易いといった問題があり、衛生的見地からしても好ましいものではなかった。
【０００４】
本考案はこのような従来の問題点に鑑みてなされたもので、箸袋本体に汚れが付着しにくく、また、汚れ易い箸先部分(箸先カバー)を箸袋本体と遊離させて簡単に洗うことができる衛生的な箸袋を提供することを目的としたものである。
【課題を解決するための手段】
【０００５】
上述の如き従来の問題点を解決し、所期の目的を達成するため本考案の要旨とする構成は、箸の全体を被装する箸袋本体と、該箸袋本体に着脱自在に内設されて少なくとも箸先部分のみを被装する箸先カバーとを組み合わせてなる箸袋に存する。
【０００６】
また、前記箸袋本体は、箸を許容する大きさに形成された袋部と、該袋部の開口部の全部若しくは一部を閉塞する余剰部と、該余剰部と協同して前記開口部を閉塞状態に保持する止着部とを備えると共に、同箸袋本体及び／又は前記箸先カバーを耐水性素材にて成形するのが良い。
【考案の効果】
【０００７】
本考案は上述のように構成され、箸の全体を被装する箸袋本体と、該箸袋本体に着脱自在に内設されて少なくとも箸先部分のみを被装する箸先カバーとを組み合わせたことによって、箸袋本体に汚れが付着しづらく、また、同箸袋本体と遊離して箸先カバーのみをまめに洗濯することができるといった効果を奏する。
【０００８】
また、前記箸袋本体は、箸を許容する大きさに形成された袋部と、該袋部の開口部の全部若しくは一部を閉塞する余剰部と、該余剰部と協同して前記開口部を閉塞状態に保持する止着部とを備えたことによって、従来の箸箱に比してグッドフィットな状態で包み込むことができるといった効果を奏する。
【０００９】
更に、同箸袋本体及び／又は前記箸先カバーを耐水性素材にて成形することによって、箸袋、箸先カバーともに、まめに洗濯できるため、清潔に箸を被装することができる衛生的な箸袋を提供できるといった効果を奏する。
【００１０】
また、本考案の箸袋は、構成が単純であるため大量生産に適し、価格も低廉なものとして需要者に供給できる等、本考案を実施することはその実益的価値が甚だ大である。
【考案を実施するための最良の形態】
【００１１】
箸の全体を被装する箸袋本体と、少なくとも箸先部分のみを被装する箸先カバーとを組み合わせ、前記箸袋本体は、箸を許容する大きさに形成された袋部と、該袋部の開口部の全部若しくは一部を閉塞する余剰部と、該余剰部と協同して前記開口部を閉塞状態に保持する止着部とで構成すると共に、同箸袋本体及び／又は前記箸先カバーを耐水性素材にて成形せしめる。
【実施例】
【００１２】
次に本考案に係る箸袋の実施の一例を図面を参照しながら説明する。図中Ａは、本考案に係る箸袋であり、この箸袋Ａは、箸の全体を被装する箸袋本体１と、該箸袋本体に着脱自在に内設される箸先カバー２(図２参照)とを備えている。
【００１３】
箸袋本体１は、例えば、布、合成樹脂材等の耐水性素材から成形されており、箸３を許容する大きさに形成された袋部１ａと、該袋部１ａの開口部１ｂの全部を閉塞する余剰部１ｃと、該余剰部１ｃと協同して前記開口部１ｂを閉塞状態に保持するリング状の止着部１ｄとを備えている。
【００１４】
箸先カバー２は、耐水性素材（例えば、ナイロン、ポリエステル等の合成樹脂材、布、不織布、木材、コーティング紙、シリコン、ゴム、カーボン、アルミ等の軽金属）にて成形されており、図２に示すように、頂端２ａと長手方向の右側端２ｂとが連通すべく開口されており、箸先３ａのみならずその大半部分を包み込める大きさに形成されている。
【００１５】
このように構成される箸袋Ａは、図３に示すように、箸袋本体１の袋部１ａ内に箸先カバー２を内挿させた状態で箸３を入れ置くため、箸袋本体１が汚れづらくなり、また、袋部１ａに余剰部１ｃを巻回させた状態で、リング状の止着部１ｄを嵌挿させるといった頗る簡単な手段で、箸３を携帯することができる。
【００１６】
しかも、箸袋本体１と箸先カバー２とが別々に遊離できるため、換言すれば、箸先カバー２のみをまめに洗うことができるため、衛生的であると共に、箸先カバー２をテーブル等の上に載置することで(図５参照)、箸置きとしても兼用できるといった利点をも有している。
【００１７】
尚、本考案の箸袋は本実施例に限定されることなく、本考案の目的の範囲内で自由に設計変更し得るものであり、本考案はそれらの全てを包摂するものである。例えば、余剰部１は、図４に示すように、袋部１ａと同形同大に形成し、二つ折りにした状態でボタン、フック等の止着部１ｄで留めるようにしても良い。
【００１８】
また、本明細書で言及している耐水性素材には、前例に限定されることなく、ポリエチレンテレフタレート、ポリプロピレン、ポリ塩化ビニル、ポリアミド、ポリカボネート、ビニロン等の合成樹脂材や、アルミニウム、金、銀などの金属皮膜を常套手段により蒸着させた金属蒸着フィルム、その他、熱可塑性樹脂材などを使用しても良い。
【図面の簡単な説明】
【００１９】
【図１】図１(ａ)は本考案に係る箸袋を閉塞した状態を示す説明図、図１(ｂ)は同箸袋を開閉した状態を示す説明図である。
【図２】本実施例で使用する箸先カバーを示す説明図である。
【図３】図３(ａ)は本考案に係る箸袋内に箸先カバーを内設した状態を示す説明図、図３(ｂ)は同箸袋を開閉した状態を示す説明図である。
【図４】本考案に係る箸袋の第２実施例を示す説明図である。
【図５】本実施例の箸先カバーを箸置きとして利用した状態を示す説明図である。
【符号の説明】
【００２０】
１  袋本体
１ａ  袋部
１ｂ  開口部
１ｃ  余剰部
１ｄ  止着部
２  箸先カバー
２ａ  頂端
２ｂ  右側端
３  箸
３ａ  箸先
【図１】
0003139713.tif 000003
【図２】
0003139713.tif 000004
【図３】
0003139713.tif 000005
【図４】
0003139713.tif 000006
【図５】
0003139713.tif 000007